(57)【要約】【課題】先端部分のみで気体、液体の侵入を防ぐことができる内視鏡の照明構造を提供する。【解決手段】内視鏡の照明構造１０を、一端が閉塞し他端が開放した筒状の外側部材２０と、外側部材２０内に配置される撮像装置３０及び照明装置４０と、を備え、外側部材２０の内側に配置され、撮像装置３０及び照明装置４０から延設される複数のケーブル部材３５、４５を束ねる束ね板部５１を有する内側部材５０を備え、外側部材２０の他端側において、束ね板部５１により束ねられた撮像装置３０及び照明装置４０から延設される複数のケーブル部材３５、４５と、外側部材２０とが一体化された状態で、外側部材２０の他端側が閉塞されている構成とする。【選択図】図１
2017205435.tif 000002
【特許請求の範囲】
【請求項１】
一端が閉塞し他端が開放した筒状の外側部材と、前記外側部材内に配置される撮像装置及び照明装置と、を備え、
前記外側部材の内側に配置され、前記撮像装置及び前記照明装置から延設される複数のケーブル部材を束ねる束ね板部を有する内側部材を備え、
前記外側部材の他端側において、前記束ね板部により束ねられた前記撮像装置及び前記照明装置から延設される複数のケーブル部材と、前記外側部材とが一体化された状態で、前記外側部材の他端側が閉塞されていることを特徴とする内視鏡の照明構造。
【請求項２】
前記内側部材が、前記外側部材より剛性が高い部材で筒状に形成され、内部に、前記撮像装置、又は／及び、前記照明装置を配置可能とされていることを特徴とする請求項１記載の内視鏡の照明構造。
【請求項３】
前記内側部材は、前記照明装置から照射される光の照射方向を規制する規制板部を有していることを特徴とする請求項１又は２記載の内視鏡の照明構造。
【発明の詳細な説明】
【技術分野】
【０００１】
本発明は、内視鏡の照明構造に関する。
【背景技術】
【０００２】
特許文献１には、外被チューブを基端から先端まで継ぎ目のないプラスチック製にするとともに、ガイドチューブは金属製平角線を密着して巻いたコイル管とその上に被覆したプラスチックコーティング層とから形成され、かつ、ガイドチューブが首振り部を除いて外被チューブに挿入された挿入部全長にわたってイメージガイド及び外被チューブ内面と固着一体化されている首振り内視鏡が記載されている。
【先行技術文献】
【特許文献】
【０００３】
【特許文献１】特開平４−４０９３３号公報
【発明の概要】
【発明が解決しようとする課題】
【０００４】
しかし、上記の首振り内視鏡では、気体、液体の侵入を防ぐため、先端の対物レンズから全長にわたって外被チューブに覆われる構成であったので、先端部分のみで気体、液体の侵入を防ぐことが望まれていた。
【０００５】
本発明は、上記にかんがみて、先端部分のみで気体、液体の侵入を防ぐことができる内視鏡の照明構造を提供することを目的とする。
【課題を解決するための手段】
【０００６】
請求項１記載の発明では、一端が閉塞し他端が開放した筒状の外側部材と、前記外側部材内に配置される撮像装置及び照明装置と、を備え、
前記外側部材の内側に配置され、前記撮像装置及び前記照明装置から延設される複数のケーブル部材を束ねる束ね板部を有する内側部材を備え、
前記外側部材の他端側において、前記束ね板部により束ねられた前記撮像装置及び前記照明装置から延設される複数のケーブル部材と、前記外側部材とが一体化された状態で、前記外側部材の他端側が閉塞されている。
【０００７】
これによれば、外側部材の一端と他端を閉塞する構成により、撮像装置及び照明装置を備える内視鏡の先端部分のみで気体、液体の侵入を防ぐことが可能となる。
【０００８】
また、前記内側部材が、前記外側部材より剛性が高い部材で筒状に形成され、内部に、前記撮像装置、又は／及び、前記照明装置を配置可能とされている。
【０００９】
これによれば、検査を行う場所が、金属製等で硬い部材で構成されるような場合に、内側部材により撮像装置、又は／及び、照明装置が破損することを防止することができる。
【００１０】
また、前記内側部材は、前記照明装置から照射される光の照射方向を規制する規制板部を有している構成とすれば、規制板部により、照明装置から照射される光の照射方向を規制することで、撮像装置が撮像した画像に光の影響を与えなくすることができる。
【図面の簡単な説明】
【００１１】
【図１】本発明の第一の実施形態における内視鏡の照明構造の側面断面図である。
【図２】同実施形態の背面図である。
【図３】内側部材の斜視図である。
【図４】内側部材の背面図である。
【図５】照明構造を製造する説明図である。
【図６】照明構造の使用態様の説明図である。
【発明を実施するための形態】
【００１２】
以下、本発明の一実施形態を図面に基づいて説明をする。以下の説明において、各図面に示す矢印の、Ｆを前、Ｂを後ろ、Ｒを右、Ｌを左、Ｕを上、Ｄを下、とする。
【００１３】
本実施形態では、内視鏡の照明構造１０は、図１〜５に示すように、外側部材２０と、撮像装置３０と、照明装置４０と、内側部材５０と、を備えている。
【００１４】
外側部材２０は、図１、２、５に示すように、透明なナイロンエラストマー製で、前端側が閉塞し後端側が開放した筒状に形成され、内部に撮像装置３０及び照明装置４０を配置可能とされている。外側部材２０は、後端側において、熱溶着等されることにより閉塞可能とされている。
【００１５】
撮像装置３０は、本実施形態では、超小型のＣＣＤカメラ３１及び図示しない対物レンズ部材を備え、検査対象を撮像可能とされている。ＣＣＤカメラ３１からは、ケーブル部材３５としての、電源ケーブル３３、信号ケーブル３４等が延設されている。電源ケーブル３３、信号ケーブル３４の外側は、防水性を有したフッ素系樹脂で被覆されている。本実施形態では、撮像装置３０は、図１に示すように、外側部材２０内に、ＣＣＤカメラ３１が上側に向かって撮像可能に配される。
【００１６】
照明装置４０は、本実施形態では、超小型のＬＥＤ４１と、図示しない照明レンズ部材と、を備え、検査対象物に光を照射可能とするものである。ＬＥＤ４１からは、ケーブル部材４５としての、電源ケーブル４３等が延設されている。電源ケーブル４３の外側は、防水性を有したフッ素系樹脂で被覆されている。本実施形態では、図１に示すように、照明装置４０は、後述する内側部材５０内に、ＬＥＤ４１が上側に向かって光を照射可能に配される。
【００１７】
内側部材５０は、図１、３、４に示すように、ナイロンエラストマー製で上側が開放した半円筒状に形成され、外側部材２０より剛性が高く設定され、内部に照明装置４０を配置可能とされ、外側部材２０の内側に配置されている。
【００１８】
内側部材５０は、後端側に撮像装置３０及び照明装置４０から延設される複数のケーブル部材３５、４５を束ねる束ね板部５１を有し、前端側に照明装置４０から照射される光の照射方向を規制する規制板部５２を有している。
【００１９】
束ね板部５１は、内側部材５０の後端側を覆い可能な円板状に形成され、前後方向からみて中央下部に、撮像装置３０及び照明装置４０から延設される複数のケーブル部材３５、４５を、前後方向において挿通可能な略半円形状の挿通孔５１ａが設けられている。挿通孔５１ａは、挿通される、電源ケーブル３３、信号ケーブル３４、電源ケーブル４３を束ねた大きさと略同一に形成されている。
【００２０】
規制板部５２は、光を透過しない処理が施されて光の照射方向を規制して、ＬＥＤ４１から照射される光が撮像装置３０の撮像に影響を与えないように形成されている。規制板部５２は、内側部材５０の前端側を覆い可能な円板状に形成され、撮像装置３０から延設されるケーブル部材３５を、前後方向において挿通可能な湾曲した長孔形状の挿通孔５２ａが設けられている。挿通孔５２ａは、挿通される、電源ケーブル３３、信号ケーブル３４、を束ねた大きさと略同一に形成されている。
【００２１】
挿通孔５２ａは、仮に、挿通孔５２ａから光がもれても、撮像装置３０に光の影響を与えないように、照明装置４０の光の照射方向とは反対側の、規制板部５２の下側に配置されている。
【００２２】
外側部材２０の後端側において、束ね板部５１により束ねられた撮像装置３０及び照明装置４０から延設される複数のケーブル部材３５、４５と、外側部材２０とが一体化された状態で、外側部材２０の他端側が閉塞されている。
【００２３】
詳説すると、外側部材２０内に撮像装置３０を配置し規制板部５２の挿通孔５２ａにケーブル部材３５を挿通し、内側部材５０内に照明装置４０を配置し、束ね板部５１の挿通孔５１ａに撮像装置３０及び照明装置４０から延設されるケーブル部材３５、４５を挿通し、図５に示すように、圧着ガンＰを用いて、ケーブル部材３５、４５と外側部材２０とを挟み込んで、熱溶着して一体化させて外側部材２０の後側が閉塞されることにより、図１に示すような照明構造１０が完成する。このとき、図２に示すように、ケーブル部材３５、４５を構成する、電源ケーブル３３、信号ケーブル３４、電源ケーブル４３を覆うフッ素系樹脂どうしが密着するとともに、電源ケーブル３３、信号ケーブル３４及び電源ケーブル４３を覆うフッ素系樹脂と、外側部材２０とが、密着している。これにより、照明構造１０単独で、気体、液体の進入を防止可能とされている。
【００２４】
次に上記実施形態の１０の使用態様を説明する。内視鏡用の湾曲管としてのナイロンエラストマー製のチューブ６０内に、ケーブル部材３５、４５を挿通して抜き出す。操作ワイヤＷは、一端が操作部材７０の操作部７１に接続され、他端がチューブ６０の照明構造１０側に接続される。また、ケーブル部材３５、４５は、図６に示すように、操作部材７０を介して図示しない電源、増幅器９０、モニター１００等に接続される。
【００２５】
人体内等の検査したい場所に、上記照明構造１０を有した内視鏡を進入させ、操作部材７０の操作部７１を操作して、操作ワイヤＷを操作部材７０側に引っ張ることで、チューブ６０を湾曲させて検査対象に対して適切な位置をとり、照明装置４０により、光を照射するとともに、撮像装置３０に検査対象を撮像する。
【００２６】
上記構成の内視鏡の照明構造１０では、一端が閉塞し他端が開放した筒状の外側部材２０と、外側部材２０内に配置される撮像装置３０及び照明装置４０と、を備え、外側部材２０の内側に配置され、撮像装置３０及び照明装置４０から延設される複数のケーブル部材３５、４５を束ねる束ね板部５１を有する内側部材５０を備え、外側部材２０の他端側において、束ね板部５１により束ねられた撮像装置３０及び照明装置４０から延設される複数のケーブル部材３５、４５と、外側部材２０とが一体化された状態で、外側部材２０の他端側が閉塞されている。
【００２７】
これによれば、外側部材２０の一端と他端を閉塞する構成により、撮像装置３０及び照明装置４０を備える内視鏡の先端部分のみで気体、液体の侵入を防ぐことが可能となる。
【００２８】
また、内側部材５０が、外側部材２０より剛性が高い部材で筒状に形成され、内部に、照明装置４０を配置可能とされている。
【００２９】
これによれば、検査を行う場所が、金属製等で硬い部材で構成されるような場合に、内側部材５０により照明装置４０が破損することを防止することができる。
【００３０】
また、内側部材５０は、照明装置４０から照射される光の照射方向を規制する規制板部５２を有している構成としているので、規制板部５２により、照明装置４０から照射される光の照射方向を規制することで、撮像装置３０が撮像した画像に光の影響を与えなくすることができる。
【００３１】
本発明の内視鏡の照明構造は上記構成に限定されるものではない。即ち、本発明の要旨を逸脱しない限り各種の設計変更等が可能である。
【００３２】
例えば、内側部材５０内に、撮像装置３０、及び、照明装置４０を配置可能とすることができる。この場合、内側部材５０を前側に延設するとともに、内側部材５０の上側に、撮像装置３０の撮像を遮らないように開口部分が設けるとともに、撮像装置３０と照明装置４０との間に規制板部５２を設けて光を遮断することとされる。これにより、撮像装置３０及び照明装置４０が破損することを防止することができる。また、内側部材５０内に、撮像装置３０のみを配置することもできる。
【００３３】
また、規制板部５２は、光を透過しない部材を用いることも可能であるし、内側部材５０全体を、光を透過しない部材を用いたり、光が透過しないように塗装を施したりすることも可能である。
【００３４】
また、外側部材２０、内側部材５０を構成する部材は、人体検査する内視鏡に用いる場合には、ポリエチレン、ポリプロピレン等ＩＳＯ１０９９３に適合する部材と用いることができる。他の用途に用いる場合にも、耐油性、耐酸性等使用態様に応じて、適宜変更することができる。
【００３５】
また、撮像装置３０は、ＣＣＤカメラ３１以外にも、既存の小型カメラ等を用いることができる。
【００３６】
また、照明装置４０は、ＬＥＤ４１以外にも、小型で光を照射できる既存の照明器具を用いることができる。
【符号の説明】
【００３７】
１０  照明構造
２０  外側部材
３０  撮像装置
３３  電源ケーブル
３４  信号ケーブル
３５  ケーブル部材
４０  照明装置
４３  電源ケーブル
４５  ケーブル部材
５０  内側部材
５１  束ね板部
５２  規制板部
【図１】
2017205435.tif 000003
【図２】
2017205435.tif 000004
【図３】
2017205435.tif 000005
【図４】
2017205435.tif 000006
【図５】
2017205435.tif 000007
【図６】
2017205435.tif 000008